(57)【要約】      （修正有）【課題】女性が着用して体型を整えることが出来ると共に、骨盤周辺に適度な補整力と動き易さを備えたガードルを提供する。【解決手段】正面両側には股４を中心として鼠径部５に沿って外方向へ延びる骨盤サポートパネル３を設け、この骨盤サポートパネルは表生地に裏生地を重ね合せた２重構造とし、また、骨盤サポートパネルの外側に位置して大転子を押圧することが出来る大転子ポイントパネルを設け、この大転子ポイントパネルは表生地に別の裏生地を２枚重ね合わせた３重構造としている。【選択図】図１
0003216892.tif 000002
【実用新案登録請求の範囲】
【請求項１】
女性が着用して体型を整えることが出来るガードルにおいて、正面両側には股を中心として鼠径部に沿って外方向へ延びる骨盤サポートパネルを設け、この骨盤サポートパネルは表生地に裏生地を重ね合せた２重構造とし、また、骨盤サポートパネルの外方側に位置して大転子エリアを押圧することが出来る大転子ポイントパネルを設け、この大転子ポイントパネルは表生地に別の裏生地を２枚重ね合わせた３重構造としたことを特徴とするガードル。
【請求項２】
上記骨盤サポートパネルを構成する裏生地を大転子ポイントパネルの領域まで延ばし、この裏生地に更なる別の裏生地を重ね合せて３重構造とした請求項１記載のガードル。
【請求項３】
正面中央には股から上方へ延びる概略逆三角形のポッコリお腹サポートパネルが設けられ、このポッコリお腹サポートパネルは表生地に裏生地を重ね合せた２重構造とし、さらに表面にレース生地を重ね合せて縫付けた３重構造とした請求項１、又は請求項２記載のガードル。
【考案の詳細な説明】
【技術分野】
【０００１】
本考案は、大転子ポイントパネルや骨盤サポートパネルなど、腰部の要をサポートしつつ、ぽっこりお腹のケヤやヒップアップ効果を有す為に、適度な補整力と動き易さを備えたガードルに関するものである。
【背景技術】
【０００２】
ガードルとは、女性用下着の１つで、腹部から腰部にかけての体型を整えるためのものであり、近年、色々な種類のガードルが市販されている。
人体の体型を美しく表現したいという欲求を満足させるために、昔からガードルが使用されている。 ガードルには腹部、腰部、臀部の体型を整えるために色々な工夫がこらされているものの、ガードルとしてのシェープアップを主眼としているので、骨盤や腰骨と云う腰廻りを背後から締めつけて腰痛の緩和の矯正、予防をすると云う配慮は殆どなされていない。
【０００３】
お腹周りやお尻の下垂など体型の変化もさることながら、６０歳頃を過ぎると気になるのは足腰の悩みであり、何時までも元気で闊歩するには骨盤周りのバランスが大切である。特に、大転子は足さばきだけでなく、下半身の贅肉の付き方や姿勢の善し悪しにも影響を与える重要な箇所である。
腰部を保護するため、腰部にサポーターやコルセットを配する人も多いが、身体を動かすことでサポーターやコルセットは所定の部位を外れることが多い。また、腰部にサポーターやコルセットを着用するならば、必然的に体型は崩れてしまう。
【０００４】
実用新案登録第３０１０８６６号に係る「体型補整用ガードル」は、 腹部、腰部、大腿部にかけての体型線を整えると共に、簡便な操作によって体型補整力が任意に選べる手段を備え、かつ、腰廻りを安定させる機能を兼ね備えたガードルである。
腹部、腰部、臀部を経て大腿部にかけての体型を補整するために着用されるガードルであって、該ガードルの腰部背面に位置する後身頃の中央部には前締ベルトが、腹部正面に位置する前身頃中央部には当該ベルト締着位置を調整可能にする第１の面ファスナーが、上記ベルトの両端には第２の面ファスナーが夫々縫着されている。
【０００５】
このガードルは上記前締ベルトを有し、腹部正面には第１面ファスナーを有し、ベルト先端部には第２の面ファスナーを設けている。したがって、該ガードルの生地厚は大きくなり、着用することでガードル本来の体型を美しく表現する欲求を満足させることは出来ない。
【特許文献１】実用新案登録第３０１０８６６号に係る「体型補整用ガードル」
【考案の開示】
【考案が解決しようとする課題】
【０００６】
このように、ガードルは体型を整えて美しく見えることを第１の目的としているが、実用新案登録第３０１０８６６号に係る「体型補整用ガードル」は、ベルトを有し、腹部正面には第１面ファスナーを、またベルト先端部には第２の面ファスナーを設けている。
したがって、該ガードルの生地厚が大きく成って、この体型補整用ガードルを着用する場合、体型線を美しくするには問題がある。
本考案が解決しょうとする課題はこれら問題点であり、体型を美しく整え、適度な補整力と動き易さを兼ね備えたガードルを提供する。すなわち、サポーターやコルセットとしての機能を兼ね備えたガードルを提供する。
【課題を解決するための手段】
【０００７】
本考案のガードルとしての基本的な形態は従来と同じであるが、下半身の要を支えるための骨盤サポートパネルを設けている。この骨盤サポートパネルは生地をしっかりと裏打ちした２重構造とし、下半身の要となる骨盤の周辺をやさしく支えることが出来るように機能する。該骨盤サポートパネルは正面側に配置され、股を中心として両側に鼠径部に沿って設けている。
【０００８】
そして、骨盤周りの中でもとりわけ足さばきや腱、関節の動きに関連する領域に大転子が存在する。本考案ではこの領域にほどよい強さの押圧力を負荷する為の大転子ポイントパネルを設け、この大転子エリアは３重構造としている。大転子ポイントパネルは上記骨盤サポートパネルから外側に位置する領域に設けられている。
【考案の効果】
【０００９】
本考案のガードルは生地を裏打ちして２重構造をした骨盤サポートパネルを有して骨盤周辺をやさしく支えることが出来る。骨盤は下半身の健康の要となる部分であり、そのために該ガードルを着用することで、骨盤サポートパネルで骨盤を支えることが出来、何時までも元気で歩くことが可能である。ただし、基本的な形態は従来のガードルと同じであり、該ガードルを着用することで体型を美しく整えることが出来る。
【００１０】
また、本考案のガードルは生地を３重構造とした大転子ポイントパネルを設けていて、大転子エリアにほど良い圧を掛けることが出来る。
大転子は太ももの中軸である大腿骨上方の骨盤に近い部分に位置し、最も突出しているのが大転子である。股から鼠径部を上外方向に沿って手を沿わすならば、上がりきった側面に位置して硬く触れる部分であり、この大転子は股関節運動の重要部位で、太腿を前後に動かすと大転子も動き、骨盤や大腿骨のバランスにも密接に関連する。
すなわち、本考案のガードルはサポーターやコルセットとしての機能を兼ね備え、しかもガードルの生地厚は厚くなくて体型線を美しく整えることが出来る。
【図面の簡単な説明】
【００１１】
【図１】本考案に係るガードルを示す実施例で、正面図を表している。
【図２】本考案に係るガードルを示す実施例で、背面図を表している。
【考案を実施するための形態】
【００１２】
図１、図２は本考案のガードルを示す外観図であり、正面図と背面図を表している。ガードルは伸縮性のある生地を縫製して構成され、腰部１と２本の大腿部２，２から成り、これら腰部１及び大腿部２，２に形成されている空間は連続している。勿論、大腿部を有すことなく腰部だけで構成する場合もあり、ガードルは女性が着用するものであることから、正面には刺繍模様が形成された生地が縫い付けられ、また上縁部には刺繍したテープが縫い付けられている。
【００１３】
ところで、本考案に係る上記ガードルは、着用することでお腹の周りやお尻の下垂などを抑えることで、体型を整えて美しくなることであると共に、何時までも元気で歩くことが出来るように骨盤周りを矯正することが出来る。
そこで、該ガードルは骨盤サポートパネルを有し、また大転子ポイントパネルを設けている。
【００１４】
上記骨盤サポートパネル３，３は正面側に設けられ、股４から外方向へ鼠径部５，５に沿って延びる部位である。図１の斜線を形成した領域であり、表面生地の裏面側に別の生地を裏打ちした２重構造と成っている。
２重構造とした骨盤サポートパネル３，３は適度な押圧力を備えた着用感があり、そのために骨盤の周辺をやさしく支えることが出来る。骨盤の周辺は下半身の健康の要となる部位であり、本考案のガードルは骨盤周辺を支えるように機能する。
【００１５】
そして、大転子ポイントパネル６，６は背面を表す図２において、斜線を設けた領域である。上記骨盤サポートポイントパネル３，３を外方向へ延ばし、側方側に位置している。
大転子は太ももの中軸である大腿骨上方の骨盤に近い部分に位置し、最も突出しているのが大転子である。すなわち、股４から鼠径部５，５を上外方向に沿って手を沿わすならば、上がりきった側面に位置して硬く触れる部分であり、この大転子は股関節運動の重要部位で、太腿を前後に動かすと大転子も動き、骨盤や大腿骨のバランスにも密接に関連する部位である。
【００１６】
本考案では、この大転子にほどよい圧力を負荷し、腿や関節の動きがスムーズになるようにガードルに大転子ポイントパネル６，６を設けている。
上記骨盤サポートパネル３，３は表生地に裏生地を重ねた２重構造としていて、同じ裏生地は大転子ポイントパネル６，６の領域まで延び、さらにこの領域には別の裏生地が重なり合った３重構造と成っている。３重構造とした大転子ポイントパネル６，６は大転子エリアに適度な押圧力を負荷することが出来る。
【００１７】
また、図１において、正面中央には股４から上方へ延びる概略逆三角形のポッコリお腹サポートパネル７が設けられ、このポッコリお腹サポートパネル７は表生地に裏生地を重ね合せた２重構造とし、又は表面にレース生地を重ね合せて縫付けた３重構造としている。
したがって、ガードルを着用するならば、ポッコリお腹サポートパネル７によって、ポッコリ膨らんだお腹は押圧され、無理なく引っ込めることが出来る。
【００１８】
一方、本考案のガードルは、下垂したお尻を持ち上げることが出来るヒップアップパネルを設け、該ヒップアップパネルは２重構造としている。
このように、本考案のガードルを着用することで、従来のガードルと同じく体型を美しく整えることが出来ると共に、骨盤をサポートし、大転子エリアに適度な押圧力を負荷することが出来るもので、何時までも元気で歩くことが出来る。
【符号の説明】
【００１９】
１   腰部
２   大腿部
３   骨盤サポートパネル
４   股
５   鼠径部
６   大転子ポイントパネル
７   ポッコリお腹サポートパネル
【図１】
0003216892.tif 000003
【図２】
0003216892.tif 000004